(57)【要約】【課題】暖房運転から暖房給湯同時運転に移行する際に、温風暖房機が送風する空気の温度低下を抑えることができる暖房給湯装置を提供すること。【解決手段】燃焼手段と、燃焼手段の熱で暖房熱媒を目標熱媒温度に加熱する熱交換器と、熱交換器を外部の暖房端末に接続するための循環通路と、循環通路に暖房熱媒を循環させる循環手段と、循環通路から分岐されて暖房端末をバイパスするバイパス通路と、循環通路とバイパス通路に暖房熱媒を分配する分配手段と、バイパス通路に設けられた給湯用熱交換器と、給湯用熱交換器に上水を供給する給水通路と、給湯用熱交換器で加熱された湯水を給湯設定温度で給湯するための給湯通路を備えた暖房給湯装置において、分配手段は暖房運転と給湯運転と暖房給湯同時運転に対応可能なように分配比を調整可能であり、暖房運転から暖房給湯同時運転への移行時に、暖房端末が温風暖房機である場合には、目標熱媒温度を上昇させる。【選択図】図３
2020067233.tif 000002
【特許請求の範囲】
【請求項１】
燃焼手段と、前記燃焼手段で発生する熱により暖房熱媒を目標熱媒温度に加熱するための熱交換器と、前記熱交換器を外部の暖房端末に接続するための循環通路と、前記暖房熱媒を循環させるために前記循環通路に設けられた循環手段と、前記循環通路から分岐されて前記暖房端末をバイパスするバイパス通路と、前記循環通路と前記バイパス通路に前記暖房熱媒を分配するための分配手段と、前記バイパス通路に設けられた給湯用熱交換器と、前記給湯用熱交換器に上水を供給するための給水通路と、前記給湯用熱交換器で加熱された湯水を所定の給湯設定温度で給湯するための給湯通路とを備えた暖房給湯装置において、
前記分配手段は、暖房運転と給湯運転と暖房給湯同時運転に対応可能なように分配比を調整可能であり、
暖房運転から暖房給湯同時運転への移行時に、前記暖房端末が温風暖房機である場合には、前記目標熱媒温度を上昇させることを特徴とする暖房給湯装置。
【請求項２】
前記暖房端末から前記熱交換器に戻ってくる暖房熱媒の温度を検知するための温度検知手段を備え、前記温度検知手段の検知温度が暖房運転から暖房給湯同時運転への移行によって予め定められた所定値以上低下した場合には、前記目標熱媒温度を上昇させることを特徴とする請求項１に記載の暖房給湯装置。
【請求項３】
前記温度検知手段は、前記循環通路と前記バイパス通路の合流部よりも前記暖房端末側に配設されたことを特徴とする請求項２に記載の暖房給湯装置。
【発明の詳細な説明】
【技術分野】
【０００１】
本発明は、暖房に利用する暖房熱媒を加熱して供給すると共に、この暖房熱媒を利用して給湯を行う暖房給湯装置に関する。
【背景技術】
【０００２】
従来から、暖房端末として例えば温風暖房機に加熱した暖房熱媒を循環供給すると共に、この暖房熱媒の熱を利用して給湯を行う暖房給湯装置が、住居内の暖房を一括して行うセントラルヒーティングに利用されている。例えば特許文献１のように、暖房の温度と給湯量の夫々の値に応じた熱量に調整するために、加熱後の暖房熱媒の温度によって燃料の供給量を調整する暖房給湯装置が知られている。
【０００３】
温風暖房機は、暖房熱媒と空気の間で熱交換させる暖房用熱交換器と送風機を備え、送風機によって室内の空気を暖房用熱交換器に送ると共に、暖房用熱交換器によって温められた空気を温風として室内に送風する。温風暖房機以外の暖房端末として、暖房熱媒の輻射熱や空気の自然対流を利用して暖房する放熱器もよく利用されている。
【０００４】
暖房給湯装置は、燃料を燃焼させる燃焼部と、この燃焼部で発生する高温の燃焼ガスと暖房熱媒との熱交換を行う熱交換器と、暖房熱媒と給湯用の湯水との熱交換を行う給湯用熱交換器等を備えている。暖房運転では、この熱交換器と暖房端末の間で暖房熱媒を循環させる。給湯運転では、暖房熱媒によって給湯用熱交換器で加熱された湯水を給湯する。
【先行技術文献】
【特許文献】
【０００５】
【特許文献１】実開昭４９−４８７４６号公報
【発明の概要】
【発明が解決しようとする課題】
【０００６】
通常、セントラルヒーティングの暖房運転は連続して、例えば冬の期間を通して行われるのに対し、給湯運転は季節に関係なく給湯のときにのみ行われ、暖房運転よりも短時間で終了することが多い。暖房運転中に給湯が開始され、暖房運転と給湯運転を同時に行う暖房給湯同時運転になると、暖房端末に供給される熱量が減少して暖房能力が低下する。
【０００７】
このとき、暖房端末が放熱器の場合は、輻射熱等が減少しても人体には感じられ難い。一方、特許文献１のように暖房端末が温風暖房機の場合には、温風暖房機が送風する温風の温度が低下し、温度が低下した温風が人体に直接当たって寒さ等の不快感を与える虞があり好ましくない。
【０００８】
本発明の目的は、暖房運転から暖房給湯同時運転に移行する際に、温風暖房機の温風の温度低下を抑えることができる暖房給湯装置を提供することである。
【課題を解決するための手段】
【０００９】
請求項１の発明の暖房給湯装置は、燃焼手段と、前記燃焼手段で発生する熱により暖房熱媒を目標熱媒温度に加熱するための熱交換器と、前記熱交換器を外部の暖房端末に接続するための循環通路と、前記暖房熱媒を循環させるために前記循環通路に設けられた循環手段と、前記循環通路から分岐されて前記暖房端末をバイパスするバイパス通路と、前記循環通路と前記バイパス通路に前記暖房熱媒を分配するための分配手段と、前記バイパス通路に設けられた給湯用熱交換器と、前記給湯用熱交換器に上水を供給するための給水通路と、前記給湯用熱交換器で加熱された湯水を所定の給湯設定温度で給湯するための給湯通路とを備えた暖房給湯装置において、前記分配手段は、暖房運転と給湯運転と暖房給湯同時運転に対応可能なように分配比を調整可能であり、暖房運転から暖房給湯同時運転への移行時に、前記暖房端末が温風暖房機である場合には、前記目標熱媒温度を上昇させることを特徴としている。
【００１０】
上記構成によれば、暖房運転から暖房給湯同時運転に移行する際に暖房端末が温風暖房機である場合に目標熱媒温度を上昇させるので、熱交換器で加熱された暖房熱媒の温度が暖房運転時よりも高温になる。従って、給湯運転のために暖房熱媒が分配されて温風暖房機に供給される暖房熱媒の流量が低下しても、温風暖房機に供給される熱量の低下を暖房熱媒の温度上昇によって補うことができるので、温風暖房機の温風の温度低下を抑えることができる。
【００１１】
請求項２の発明の暖房給湯装置は、請求項１の発明において、前記暖房端末から前記熱交換器に戻ってくる暖房熱媒の温度を検知するための温度検知手段を備え、前記温度検知手段の検知温度が暖房運転から暖房給湯同時運転への移行によって予め定められた所定値以上低下した場合には、前記目標熱媒温度を上昇させることを特徴としている。
【００１２】
上記構成によれば、暖房給湯同時運転時の暖房に利用されて熱交換器に戻ってくる暖房熱媒の温度が暖房運転時の温度と比べて予め定められた所定値以上の温度低下となった場合に、暖房熱媒を暖房運転時よりも高温にする。温風暖房機の温風の温度低下が大きい虞がある場合に、暖房熱媒の温度上昇によって温風暖房機に供給される熱量を増やすことができるので、温風暖房機の温風の温度低下を抑えることができる。
【００１３】
請求項３の発明の暖房給湯装置は、請求項２の発明において、前記温度検知手段は、前記循環通路と前記バイパス通路の合流部よりも前記暖房端末側に配設されたことを特徴としている。
【００１４】
上記構成によれば、給湯に利用された暖房熱媒が合流する前の暖房に利用されて熱交換器に戻ってくる暖房熱媒の温度を検知して、温風暖房機の温風の温度低下を抑えるために必要な温度を把握することができる。従って、目標熱媒温度を上昇させる際に、適切な目標熱媒温度を設定して、温風暖房機の温風の温度低下を抑えることができる。
【発明の効果】
【００１５】
本発明の暖房給湯装置によれば、暖房運転から暖房給湯同時運転に移行する際に、温風暖房機の温風の温度低下を抑えることができる。
【図面の簡単な説明】
【００１６】
【図１】本発明の実施例に係る温水暖房システムの全体構成を示す図である。
【図２】本発明の実施例に係る暖房給湯装置の構成を示す図である。
【図３】本発明の実施例に係る目標熱媒温度の上昇制御のフローチャートである。
【図４】目標熱媒温度の上昇制御をしたときの温風温度の実測例を示すグラフである。
【発明を実施するための形態】
【００１７】
以下、本発明を実施するための形態について実施例に基づいて説明する。
【実施例】
【００１８】
最初に、セントラルヒーティングに利用される温水暖房システム１の全体構成について、図１に基づいて説明する。
温水暖房システム１は、暖房給湯装置２で加熱した暖房熱媒（温水）を暖房給湯装置２の外部に暖房端末として設置された温風暖房機３に供給し、温風暖房機３が住居内の暖房を一括して行うように構成されている。この温水暖房システム１は、暖房給湯装置２と、温風暖房機３と、これらを接続する暖房循環回路４と、暖房循環回路４に設けられた外部ポンプ５と、温度上昇による暖房熱媒の体積膨張を吸収するために暖房循環回路４に設けられた密閉式の膨張タンク６等を備えている。尚、図示を省略するが、住居の複数の部屋毎に暖房端末が配設され、それらに暖房熱媒が供給される場合には、複数の暖房端末が暖房循環回路４に温風暖房機３と並列に接続される。
【００１９】
暖房循環回路４は、外部ポンプ５の駆動により暖房熱媒を暖房端末に循環供給する端末循環回路部４ａと、端末循環回路部４ａから暖房給湯装置２に暖房熱媒を供給すると共に暖房給湯装置２で加熱した暖房熱媒を端末循環回路部４ａに供給する加熱循環回路部４ｂで構成されている。膨張タンク６は、端末循環回路部４ａの外部ポンプ５の上流側に設けられている。加熱循環回路部４ｂは、端末循環回路部４ａの膨張タンク６の上流側に接続されている。
【００２０】
次に、温風暖房機３について説明する。
温風暖房機３は、暖房熱媒と空気の熱交換を行う暖房用熱交換器３ａと、暖房用熱交換器３ａに空気を送ると共に温まった空気を温風として室内に送風する送風機３ｂと、図示外の暖房運転スイッチ等を備えている。暖房設定温度等の設定が可能なように構成されていてもよい。
【００２１】
次に、暖房給湯装置２について、図２に基づいて説明する。
暖房給湯装置２は、燃焼部７（燃焼手段）で発生させた燃焼熱を利用して加熱した暖房熱媒を温風暖房機３との間で循環させる暖房運転と、暖房熱媒の熱を利用して加熱した上水を給湯設定温度に調整して給湯する給湯運転と、暖房運転と給湯運転を併せて行う暖房給湯同時運転を行うように構成されている。
【００２２】
暖房給湯装置２は、燃焼部７と、熱交換器８と、この熱交換器８と温風暖房機３を接続する暖房循環回路４の加熱循環回路部４ｂに接続された循環通路９と、循環通路９の熱交換器８より上流側に設けられた内蔵ポンプ１０（循環手段）と、暖房運転等の制御を行うための制御部１６等を備えている。内蔵ポンプ１０は、暖房運転時に外部ポンプ５と連動して暖房熱媒を循環させる。
【００２３】
燃焼部７では、燃焼用ファン７ａの駆動により矢印ＡＳで示す給気と矢印Ｆで示す燃料ガスを混合して供給される混合ガスが燃焼する。燃焼部７の燃焼によって発生させる燃焼ガスの熱量（燃焼熱量）は、燃焼用ファン７ａの回転数により調整される。熱交換器８は、燃焼部７で発生させた燃焼ガスと循環通路９を流れる暖房熱媒との間で熱交換させて、暖房熱媒を予め設定されている目標熱媒温度に加熱する。熱交換により温度が下がった燃焼ガスは、矢印Ｅで示すように外部に排気される。
【００２４】
また、暖房給湯装置２は、第１バイパス通路１１（バイパス通路）と、この第１バイパス通路１１に設けられた給湯用熱交換器２０と、給水通路１９と、給湯通路２１等を備えている。第１バイパス通路１１は、暖房循環回路４に接続された暖房端末をバイパスするように、熱交換器８の下流側で循環通路９から分岐され、内蔵ポンプ１０の上流側の合流部Ｃ１で循環通路９に接続されている。給水通路１９は、矢印ＣＷで示すように給湯用熱交換器２０に上水を供給する。給湯通路２１は、給湯用熱交換器２０で加熱された湯水を矢印ＨＷで示すように給湯栓等に給湯する。
【００２５】
次に、循環通路９について説明する。
循環通路９は、第１バイパス通路１１との合流部Ｃ１よりも上流側（暖房端末側）に第１温度センサ１２（温度検知手段）を備え、内蔵ポンプ１０と熱交換器８の間に第２温度センサ１３を備え、熱交換器８の下流側に第３温度センサ１４を備えている。第１温度センサ１２は、暖房循環回路４の暖房端末から熱交換器８に戻ってくる暖房に利用された暖房熱媒の温度を検知する。第２温度センサ１３は、熱交換器８に流入する暖房熱媒の温度を検知する。第３温度センサ１４は、熱交換器８で加熱された暖房熱媒の温度を検知する。これらのセンサの検知温度に基づいて、加熱された暖房熱媒の温度が目標熱媒温度（例えば７０℃）になるように燃焼用ファン７ａや内蔵ポンプ１０、外部ポンプ５等が制御部１６により制御される。
【００２６】
循環通路９と第１バイパス通路１１の分岐部には、第１分配弁１５（分配手段）が設けられている。第１分配弁１５は、暖房運転と給湯運転と暖房給湯同時運転に対応可能なように分配比率を調整可能である。制御部１６は、熱交換器８で加熱された暖房熱媒を循環通路９と第１バイパス通路１１に分配するために、第１分配弁１５の分配比率を調整する。
【００２７】
第１分配弁１５の分配比率は、暖房運転時には循環通路９にのみ暖房熱媒が供給されるように調整され、給湯運転時には第１バイパス通路１１にのみ暖房熱媒が供給されるように調整される。暖房給湯同時運転時には、給湯を優先するように第１分配弁１５の分配比率が調整されて暖房熱媒が循環通路９と第１バイパス通路１１に分配される。循環通路９に分配された暖房熱媒は、矢印ＨＳで示すように暖房循環回路４に供給される。第１バイパス通路１１に分配された暖房熱媒は、合流部Ｃ１において循環通路９の暖房熱媒に合流する。内蔵ポンプ１０と第１温度センサ１２の間には、矢印ＡＦで示すように暖房熱媒を補給するための補給通路１８が接続されている。
【００２８】
次に、給湯用熱交換器２０について説明する。
給湯用熱交換器２０は、第１バイパス通路１１の暖房熱媒と給水通路１９から供給される上水との間で熱交換を行って、加熱された湯水を給湯通路２１に供給する。給水通路１９は、第２分配弁２３と、流量調整弁２４と、流量センサ２５と、入水温度センサ２６を備えている。
【００２９】
給水通路１９から第２バイパス通路２２が分岐され、この分岐部に分配比率を調整可能な第２分配弁２３が配設されている。第２分配弁２３は、給水通路１９が接続された給湯用熱交換器２０と第２バイパス通路２２に上水を分配する。流量調整弁２４は、第２分配弁２３に入水する上水の流量を調整する。流量センサ２５は、第２分配弁２３に入水する上水の流量を検知する。入水温度センサ２６は第２分配弁２３に入水する上水の温度を検知する。
【００３０】
第２バイパス通路２２は、合流部Ｃ２において給湯通路２１に接続されている。給湯通路２１の合流部Ｃ２と給湯用熱交換器２０の間には、出湯温度センサ２７が設けられている。出湯温度センサ２７は、給湯用熱交換器２０から出湯される湯水の温度を検知する。
【００３１】
給湯通路２１の合流部Ｃ２より下流側には、給湯温度センサ２８が設けられている。この給湯温度センサ２８は、給湯用熱交換器２０で加熱された湯水と第２バイパス通路２２を流れる上水が混合された給湯水の給湯温度を検知する。給湯運転時にはこの給湯温度が設定された給湯設定温度になるように、第２分配弁２３の分配比率が制御部１６によって調整される。
【００３２】
次に、制御部１６について、図１，図２に基づいて説明する。
制御部１６には、暖房設定温度、給湯設定温度、目標熱媒温度等の設定操作や暖房運転の開始・停止の操作等を行うための操作端末１７が接続されている。操作端末１７は、各種温度や運転状態等の情報を表示可能な表示部１７ａと、設定操作等を行うためのスイッチ部１７ｂを備えている。また、制御部１６は、温風暖房機３、外部ポンプ５、屋外に配設された外気温度センサ３０に夫々通信可能に接続され、それらの運転情報等を取得する。
【００３３】
この制御部１６は、通信接続された第１温度センサ１２等の各種センサの検知信号等に基づいて、燃焼用ファン７ａ、内蔵ポンプ１０、外部ポンプ５、第１分配弁１５、第２分配弁２３等を制御することによって、暖房運転、給湯運転、暖房給湯同時運転の各運転を制御する。尚、目標熱媒温度は、制御部１６が暖房設定温度に応じて設定してもよく、暖房設定温度は、温風暖房機３で設定された温度を制御部１６が受信して設定してもよい。
【００３４】
次に、給湯運転について説明する。
待機中に給湯栓等の開栓により給湯が開始されて流量センサ２５が給湯運転を開始する所定値以上の流量を検知すると、制御部１６は燃焼部７の燃焼を開始し、内蔵ポンプ１０を駆動し、第１バイパス通路１１にのみ暖房熱媒を供給するように第１分配弁１５を調整する。燃焼部７の燃焼熱によって熱交換器８で目標熱媒温度に加熱された暖房熱媒は、給湯用熱交換器２０で給水通路１９から供給される上水を加熱し、加熱された湯水が給湯通路２１を流通する。出湯温度センサ２７で検知された湯水温度と入水温度センサ２６で検知された上水の温度に基づいて、給湯温度センサ２８で検知される温度が給湯設定温度になるように、制御部１６が第２分配弁２３の分配比率を調整して合流部Ｃ２における湯水の混合比率を制御する。給湯栓等が閉止されて流量センサ２５が所定値以上の流量を検知しなくなると、制御部１６は給湯運転を終了して待機する。
【００３５】
次に、暖房運転について説明する。
待機中に温風暖房機３や操作端末１７の操作によって暖房運転が開始されると、制御部１６は燃焼部７の燃焼を開始し、外部ポンプ５と内蔵ポンプ１０を駆動し、暖房循環回路４に暖房熱媒を供給するために循環通路９にのみ暖房熱媒を供給するように第１分配弁１５を調整する。燃焼部７の燃焼熱によって熱交換器８で目標熱媒温度に加熱された暖房熱媒は、温風暖房機３に供給されて空気を温めた後、一部は暖房給湯装置２の熱交換器８に戻って再加熱される。操作端末１７の操作等によって暖房運転が停止されると、制御部１６は燃焼部７の燃焼停止等をして待機する。
【００３６】
次に、暖房運転から暖房給湯同時運転への移行について説明する。
暖房運転中は、暖房運転開始直後でなければ基本的に室温が暖房設定温度付近で安定し、暖房による暖房熱媒の温度低下が大きくなり難いので、燃焼部７で発生させる燃焼熱量には余裕がある。この暖房運転中に給湯栓等が開けられて給湯が開始され流量センサ２５が所定値以上の流量を検知すると、制御部１６は第１分配弁１５の分配比率を調整して第１バイパス通路１１にも暖房熱媒を供給して暖房給湯同時運転に移行する。
【００３７】
このとき循環通路９から暖房循環回路４に供給される暖房熱媒の流量が減少し、温風暖房機３に供給される熱量が減少する。それ故、温風暖房機３は暖房運転時と同じように空気を温めることができなくなり、温風の温度が低下する。この温風暖房機３から送り出される温風は、人体に直接当たって温風の温度の低下が感知され易く、寒さを感じさせて不快感を与える場合がある。
【００３８】
そこで、予め定められた所定の上昇条件を満たす場合には、供給される熱量の減少を補うために目標熱媒温度を一時的に上昇させる。図３はこの目標熱媒温度の上昇制御のフローチャートであり、図中のＳｉ（ｉ＝１，２，・・・）はステップを表す。Ｓ１〜Ｓ３において上昇条件の判定をしている。
【００３９】
Ｓ１において、暖房運転から暖房給湯同時運転への移行であるか否か判定する。判定がＹｅｓの場合はＳ２に進み、判定がＮｏの場合は目標熱媒温度を上昇させずにリターンする。次にＳ２において、暖房端末が温風暖房機３であるか否か判定する。判定がＹｅｓの場合はＳ３に進み、判定がＮｏの場合は目標熱媒温度を上昇させずにリターンする。
【００４０】
次にＳ３において、暖房給湯装置２の熱交換器８に戻ってくる暖房熱媒の温度が、暖房運転から暖房給湯同時運転への移行によって予め定められた所定値以上低下したか否か判定する。例えば、暖房給湯同時運転への移行の前後で第１温度センサ１２により検知された暖房熱媒の温度が予め定められた所定値以上（例えば１０℃以上）の温度の低下があったか否か判定する。暖房給湯同時運転に移行後に暖房給湯装置２から供給されて暖房に利用された暖房熱媒が、暖房給湯装置２に戻るまでには暖房循環回路４の長さ等に応じた時間がかかる。そのため、暖房給湯同時運転に移行後の所定時間として例えば１分後にＳ４の判定を行う。この所定時間は、温水暖房システム１に応じて施工時に設定される。判定がＹｅｓの場合はＳ４に進み、判定がＮｏの場合は目標熱媒温度を上昇させずにリターンする。尚、判定前に給湯が終了した場合はこの目標熱媒温度の上昇制御を終了する。
【００４１】
次にＳ４において、目標熱媒温度を上昇させてリターンする。このときの目標熱媒温度の上昇値は、例えば２０℃のように予め定められた温度である。また、過剰な燃焼を抑えながら温風暖房機３に供給する熱量の減少を補うために、例えば第１温度センサ１２の検知温度が暖房運転時の温度に戻るように上昇値を算出してもよい。尚、安全のために予め設定されている上限値（例えば９５℃）を超えないように、目標熱媒温度はその上限値以下に制限される。
【００４２】
制御部１６は、目標熱媒温度を上昇させた場合には、燃焼部７の燃焼熱量を増加させて加熱後の暖房熱媒の温度を上昇させた目標熱媒温度に近づける。目標熱媒温度を上昇させることによって暖房給湯同時運転時に温風暖房機３に供給する熱量の減少を補って、温風暖房機３の温風の温度の低下が抑えられる。
【００４３】
図４に目標熱媒温度の上昇制御による温風暖房機３の温風温度の変化を実測した例を示す。時刻ｔ１以前は目標熱媒温度が７０℃で暖房運転をしており、温風温度は５５℃程度で安定している。時刻ｔ１で暖房給湯同時運転に移行すると、給湯を優先して給湯温度を安定させるまで暖房給湯装置２から供給される熱量が変動するので温風温度が大きく変動し、時刻ｔ２辺りから暖房運転時よりも低い温度で温風温度が安定する。時刻ｔ１から所定時間経過後の時刻ｔ３で、暖房熱媒に所定値以上の温度低下があることが第１温度センサ１２に検知されて目標熱媒温度を算出した温度（例えば２２℃）だけ上昇させる。この高温になった暖房熱媒が時刻ｔ４から温風暖房機３に届き始めて温風温度が上昇し、その後暖房運転時と略同じ温度で温風温度が安定している。
【００４４】
Ｓ３の上昇条件を省略してＳ１、Ｓ２の上昇条件を満たした場合に目標熱媒温度を予め定められた上昇値だけ上昇させるようにしてもよい。暖房運転から暖房給湯同時運転への移行時に温風暖房機３に供給する熱量を増やして、温風暖房機３の温風の温度低下を抑えることができる。第１温度センサ１２の検知温度の低下を検知する前に温風暖房機３に供給する熱量を増やすので、温風暖房機３の温風の温度低下を早期に抑えることができる。
【００４５】
また、Ｓ３の上昇条件を第１温度センサ１２の検知温度が予め定められた温度以下になったことに変更して、この目標熱媒温度の上昇制御を暖房給湯同時運転中に繰り返し行うようにすることもできる。例えば、暖房給湯同時運転への移行当初は目標熱媒温度を上昇させる必要がなかったが、暖房給湯同時運転中に給湯流量の増加等によって温風暖房機３の温風の温度が低下した場合に、供給する熱量を増やすことができる。尚、Ｓ１〜Ｓ３の上昇条件の判定の順番は入れ替え可能である。
【００４６】
給湯栓等が閉止されて流量センサ２５が所定値以上の流量を検知しなくなると、制御部１６は循環通路９にのみ暖房熱媒を供給するように第１分配弁１５を調整して暖房給湯同時運転から暖房運転に移行する。このとき目標熱媒温度を元の設定値に戻す。
【００４７】
本発明の暖房給湯装置２の作用、効果について説明する。
暖房給湯装置２は、暖房運転から暖房給湯同時運転に移行する際に暖房端末が温風暖房機３である場合に目標熱媒温度を上昇させるので、熱交換器８で加熱された暖房熱媒の温度が暖房運転時よりも高温になる。従って、給湯運転のために暖房熱媒が分配されて温風暖房機３に供給される暖房熱媒の流量が低下しても、温風暖房機３に供給される熱量が補われるので、温風暖房機３が送風する温風の温度の低下を抑えることができる。
【００４８】
また、暖房運転から暖房給湯同時運転に移行したときに、利用されて熱交換器８に戻ってくる暖房熱媒の温度が暖房運転のときよりも予め定められた所定値以上の温度低下となった場合に、目標熱媒温度を上昇させて暖房熱媒を暖房運転時よりも高温にする。温風暖房機３の温風の温度低下が大きい虞がある場合に、暖房熱媒の温度上昇によって温風暖房機３に供給される熱量を増やすことができるので、温風暖房機３の温風の温度低下を抑えることができる。
【００４９】
しかも、給湯に利用された暖房熱媒が合流する前の暖房に利用されて熱交換器８に戻ってくる暖房熱媒の温度を検知して、温風暖房機３の温風の温度低下を抑えるために必要な温度を把握することができる。従って、目標熱媒温度を上昇させる際に、適切な目標熱媒温度を設定して、温風暖房機３の温風の温度低下を抑えることができる。
【００５０】
給湯運転中に暖房運転の開始操作がされた場合、給湯を優先するため給湯が終わるまで暖房運転を開始させないようにしてもよく、暖房給湯同時運転に移行してもよい。暖房給湯同時運転に移行した場合には、上記と同様に目標熱媒温度を一時的に上昇させてもよい。その他、当業者であれば、本発明の趣旨を逸脱することなく、上記実施形態に種々の変更を付加した形態で実施可能であり、本発明はそのような変更形態を包含するものである。
【符号の説明】
【００５１】
１      ：温水暖房システム
２      ：暖房給湯装置
３      ：温風暖房機（暖房端末）
４      ：暖房循環回路
５      ：外部ポンプ
７      ：燃焼部（燃焼手段）
８      ：熱交換器
９      ：循環通路
１０    ：内蔵ポンプ（循環手段）
１１    ：第１バイパス通路（バイパス通路）
１２    ：第１温度センサ（温度検知手段）
１５    ：第１分配弁（分配手段）
１６    ：制御部（制御手段）
１９    ：給水通路
２０    ：給湯用熱交換器
２１    ：給湯通路
Ｃ１    ：合流部
【図１】
2020067233.tif 000003
【図２】
2020067233.tif 000004
【図３】
2020067233.tif 000005
【図４】
2020067233.tif 000006